(57)【特許請求の範囲】
【請求項１】
薪ストーブの内部に取り外し可能に設置して使用するロストルであって、
板状部材と、
前記板状部材に突設され、突設方向に沿って貫通孔を有する複数の突起部と、
を備え、
前記板状部材において前記突設部が設けられている箇所以外には孔がないことを特徴とするロストル。
【請求項２】
前記突起部が、前記板状部材より少なくとも１．５ｃｍ以上の高さで突設されていることを特徴とする請求項１に記載のロストル。
【請求項３】
前記板状部材の面積に占める前記貫通孔の面積の割合が、１．２〜１．９％であり、平均して前記板状部材２００〜３００ｃｍ２に前記突起部が１つ突設されていることを特徴とする請求項１又は請求項２に記載のロストル。
【請求項４】
本体の内部に薪を燃焼させる燃焼室と、
本体の側面に設けられ、前記燃焼室の底面に設置された請求項１から請求項３のいずれかに記載のロストルの貫通孔に連通して前記燃焼室に外気を吸入する一次吸気口と、
前記一次吸気口を開閉可能に設けられた第一蓋体と、
本体の側面に設けられ、前記燃焼室の上部に位置する給気口に連通して前記燃焼室に外気を吸入する二次吸気口と、
前記二次吸気口を開閉可能に設けられた第二蓋体と、
を備えることを特徴とする薪ストーブ。
【発明の詳細な説明】
【技術分野】
【０００１】
本発明は、燃料として薪を燃焼させて暖を取る、又は、加熱料理に使用される薪ストーブ及びそれに用いられるロストルに関する。
【背景技術】
【０００２】
従来、薪ストーブにおいて、燃焼室内に燃焼する薪を載置するロストルが用いられている。そのロストルは、鋼板に格子状に複数の方形状の孔を有する形状であったり、鋼板に並行する複数の長孔を有する形状であったりする。
【０００３】
例えば、特許文献１には、明細書段落００１９及び図１〜２に、燃焼空間部６Ａの下方に位置する受部１８の中央に格子状に孔を有するロストル１９が備え付けられている構成が開示されている。
【先行技術文献】
【特許文献】
【０００４】
【特許文献１】特開２０００−４６３３４号公報
【発明の概要】
【発明が解決しようとする課題】
【０００５】
一般的に薪ストーブに用いられる薪として、着火は早いが激しく燃焼する針葉樹を由来とする薪と、着火は遅いがゆっくり燃焼する広葉樹を由来とする薪とが使用される。薪ストーブを傷めないためにも、理想的には広葉樹を由来とする薪を使用することが好ましいが、専門店で薪を購入する場合でない限り、針葉樹を由来とする薪と広葉樹を由来とする薪とを選別することは困難である。また、一方で、針葉樹の間伐材を薪として有効利用することも所望されている。このため、薪ストーブにおいて、広葉樹を由来とする薪だけでなく、針葉樹を由来とする薪を使用しても広葉樹を由来とする薪と同様に薪が燃えた後に赤くなる熾火を長持ちさせられる薪ストーブが望まれている。
【０００６】
しかしながら、特許文献１に記載のロストルを用いた薪ストーブでは、針葉樹を由来とする薪を使用した場合、広葉樹を由来とする薪を使用した場合に比べて火のまわりは早いが、激しく燃焼して早く燃え尽きてしまう。
【０００７】
そして、特許文献１に記載の薪ストーブに用いるロストルでは、針葉樹を由来とする薪を使用した場合、広葉樹を由来とする薪を使用した場合に比べて燃焼温度が高くなり、燃焼後に生じた灰がロストルの孔からすぐに下に落ちてしまうことにより、より高温で燃焼する薪と直接接触するため、熱による劣化が激しく、ロストルの交換頻度が高かった。
【０００８】
そこで、本発明は、燃料に使用する薪として、広葉樹を由来とする薪だけでなく、針葉樹を由来とする薪を使用した場合においても、熱による劣化を抑制し、使用の寿命を延ばすことができるロストルを提供することを目的とする。
【０００９】
さらに、広葉樹を由来とする薪だけでなく、針葉樹を由来とする薪を使用しても広葉樹を由来とする薪と同様に薪が燃えた後に赤くなる熾火を長持ちさせることができる薪ストーブを提供することも目的とする。
【課題を解決するための手段】
【００１０】
〔１〕すなわち、本発明は、薪ストーブの内部に取り外し可能に設置して使用するロストルであって、板状部材と、前記板状部材に突設され、突設方向に沿って貫通孔を有する複数の突起部と、を備え、前記板状部材において前記突設部が設けられている箇所以外には孔がないことを特徴とするロストルである。
【００１１】
〔２〕そして、前記突起部が、前記板状部材より少なくとも１．５ｃｍ以上の高さで突設されていることを特徴とする前記〔１〕に記載のロストルである。
【００１２】
〔３〕そして、前記板状部材の面積に占める前記貫通孔の面積の割合が、１．２〜１．９％であり、平均して前記板状部材２００〜３００ｃｍ２に前記突起部が１つ突設されていることを特徴とする前記〔１〕又は前記〔２〕に記載のロストルである。
【００１３】
〔４〕そして、本体の内部に薪を燃焼させる燃焼室と、本体の側面に設けられ、前記燃焼室の底面に設置された前記〔１〕から前記〔３〕のいずれかに記載のロストルの貫通孔に連通して前記燃焼室に外気を吸入する一次吸気口と、前記一次吸気口を開閉可能に設けられた第一蓋体と、本体の側面に設けられ、前記燃焼室の上部に位置する給気口に連通して前記燃焼室に外気を吸入する二次吸気口と、前記二次吸気口を開閉可能に設けられた第二蓋体と、を備えることを特徴とする薪ストーブである。
【発明の効果】
【００１４】
前記〔１〕から前記〔３〕のいずれかに記載のロストルによれば、燃焼して生じた灰がすぐにはロストルの下には落ちずロストル上に溜まりロストルと薪が直接接触しないようになるので、燃料に使用する薪として、広葉樹を由来とする薪だけでなく、針葉樹を由来とする薪を使用した場合においても、熱による劣化を抑制し、使用の寿命を延ばすことができる。
【００１５】
前記〔４〕の薪ストーブによれば、燃焼室に供給される外気の量を調整することができるので、広葉樹を由来とする薪だけでなく、針葉樹を由来とする薪を使用しても広葉樹を由来とする薪と同様に薪が燃えた後に赤くなる熾火を長持ちさせることができる。
【図面の簡単な説明】
【００１６】
【図１】本発明のロストルの斜視図である。
【図２】本発明のロストルの正面図である。
【図３】本発明の薪ストーブの正面図である。
【図４】本発明の薪ストーブのＡ−Ａ線断面図である。
【図５】本発明の薪ストーブのＢ−Ｂ線断面図である。
【図６】本発明の薪ストーブのＣ−Ｃ線断面図である。
【図７】本発明の薪ストーブのＤ−Ｄ線断面図である。
【発明を実施するための形態】
【００１７】
以下、本発明に係るロストル及び薪ストーブに関する実施形態について図面を参照して詳しく説明する。
【００１８】
図１及び図２に示すように、ロストル１は、方形状の板状部材１１の一の面に、円筒状の突起部１２が複数個突設されている。そして、突起部１２には突設方向に沿って板状部材１１も貫通する貫通孔１２１を有している。なお、本実施形態において、板状部材１１の外形は方形状を有しているが、他の実施形態において、略円板形状、略楕円形状、他の多角形状を有することができる。また、本実施形態において、突起部１２は円筒形状を有しているが、他の実施形態において、突設方向に孔を有する多角形状を有することができる。また、本実施形態において、突起部１２の個数は１１個であるが、他の実施形態において他の個数であってもよい。
【００１９】
そして、図１などに示されている突起部１２の高さは、２．５ｃｍである。ロストル１に突設されている突起部１２は、板状部材１１の上面、すなわち、突起部１２が設けられている面よりも、少なくとも１．５ｃｍ以上の高さで突設されていることが好ましい。さらに、突起部１２の高さは、２．０〜１０．０ｃｍであることが好ましい。突起部１２が上記高さを有していると、ロストル１の上に薪が燃焼して生じた灰を堆積させやすく、熾火となった薪を長時間維持することができる。また、突起部１２の高さが１．５ｃｍ未満であると、生じた灰は、ロストル１の上に十分に溜まらず、熾火となった薪を長時間維持することができない。
【００２０】
さらには、板状部材１１の突起部１２が設けられている面の面積に占める貫通孔１２１の面積の割合が、１．２〜１．９％であり、平均して板状部材１１の突起部１２が設けられている面の面積２００〜３００ｃｍ２に突起部１２が１つ突設されていることが好ましい。さらに、近接する２つ突起部１２の間隔が、他の近接する２つ突起部１２の間隔と略等間隔であることが好ましい。貫通孔１２１が上記範囲で設計されていると、過剰の外気を燃焼室２１の内部に供給することがないため、針葉樹を由来とする薪を使用した場合においても、ゆっくりと燃焼することができる。なお、図１などに示されている突起部１２の内径、すなわち、貫通孔１２１の直径は２．１６ｃｍである。
【００２１】
また、図４、図６、図７に示すように、ロストル１は、薪ストーブＳの本体２の内部に設けられた燃焼室２１の底面に取り外し可能に設置されている。
【００２２】
薪の燃焼によって生じた灰は、板状部材１１に堆積していき、薪が燃えた後に安定して炭火のようになった熾火を有する薪とロストル１との緩衝材の役割を果たし、ロストル１に熾火を有する薪が直接接触しないようになる。このため、ロストル１が熾火を有する薪に直接さらされる時間が少ないので広葉樹を由来とする薪だけでなく、針葉樹を由来とする薪を使用した場合においても、熱による劣化を抑制し、使用の寿命を延ばすことができる。また、ロストル上に堆積した灰のため、広葉樹を由来とする薪だけでなく、針葉樹を由来とする薪を使用した場合においても、火鉢のように熾火を長持ちさせることができる。
【００２３】
そして、ロストル１の上に所定量以上堆積すると、貫通孔１２１を通じてロストル１の下方に位置する箱状の灰受け部５に落ちて溜まるようになる。
【００２４】
次に、ロストル１を備えた薪ストーブＳについて説明する。
【００２５】
図３から図７に、一実施形態に係る薪ストーブＳを示している。図３から図５に示すように、薪ストーブＳは、略直方体形状の本体２の内部に、薪が入れられ燃焼される燃焼室２１を備えている。そして、薪ストーブＳは、本体２の下部四隅に螺子により取り外せるように設けられた脚６と、本体２の上部には燃焼室２１から連通し上方に向かって伸びる中空の煙突２４とを備えている。また、本体２を構成する素材として鋼板を用いており、その厚みを９ｍｍとしているため、蓄熱性を有している。
【００２６】
そして、図４、図６、図７に示すように、燃焼室２１の底面にロストル１が載置されており、自在に取り外すことができる。そして、燃焼室２１の左右両側に、耐熱温度が１３００℃である複数のレンガを組み合わせてなる耐熱壁２５が設けられている。この耐熱壁２５が、燃焼室２１の内部で薪が燃焼する際に生じる熱を蓄熱して内部の温度が低下することを防いでいる。
【００２７】
そして、ロストル１の上方に位置する燃焼室２１の上部には、後述する二次燃焼のために外気を燃焼室２１の内部に給気する給気口７１を有する給気配管７が配設されている。そして、燃焼室２１の内部であって、給気配管７の上方には、薪の燃焼によって生じた煙の行く手を遮る遮蔽板８が設けられており、その遮蔽板８の中央部には薪の燃焼によって生じた煙を遮らずにそのまま上方に誘導する遮蔽版開閉蓋８１が設けられている。遮蔽版開閉蓋８１は、本体２の外部に突出している開閉蓋ハンドル８１１と連動しており、燃焼室２１の内部における煙の流れを調節することができる。
【００２８】
図３に示すように、一次吸気口２２（２２ａ、２２ｂ）は、本体２の一側面である前面の下部左右に略円形状に穿設されている。図４、図７に示すように、この一次吸気口２２から入った外気は、燃焼室２１の下方に位置し、灰受け部５を収納する部屋を通り、そして、ロストル１の貫通孔１２１を通って、燃焼室２１の内部に給気される。
【００２９】
また、図３、図４に示すように、本体２の前面の下部には、同下部に螺着して一次吸気口２２ａ、２２ｂが吸気したり吸気できなくしたりするように開閉する第一蓋体３（３ａ、３ｂ）が、左右それぞれ螺設されている。すなわち、第一蓋体３ａ、３ｂを回して緩めると、第一蓋体３ａ、３ｂの第一基体３１ａ、３１ｂが一次吸気口２２ａ、２２ｂから離れることにより、一次吸気口２２ａ、２２ｂから外気が入れるようになる。逆に、第一蓋体３ａ、３ｂを回して締めると、第一蓋体３ａ、３ｂの第一基体３１ａ、３１ｂが一次吸気口２２ａ、２２ｂを密閉することにより、一次吸気口２２ａ、２２ｂから外気が入れないようになる。
【００３０】
図５〜図７に示すように、二次吸気口２３は、本体２の左側面の下部に略円形状に穿設されている。図５に示すように、この二次吸気口２３から入った外気は、燃焼室２１の下方に位置し灰受け部５を収納する部屋とは仕切られた通風路２６を通り、そして、本体２の背面側に位置する蓄熱室２７を通り、給気配管７の給気口７１を通って、燃焼室２１の内部に給気される。
【００３１】
また、図６、図７に示すように、本体２の右側面の下部には、同下部に螺着して二次吸気口２３が吸気したり吸気できなくしたりするように開閉する第二蓋体４が、螺設されている。すなわち、第二蓋体４を回して緩めると、第二蓋体４の第二基体４１が二次吸気口２３から離れることにより、二次吸気口２３から外気が入れるようになる。逆に、第二蓋体４を回して締めると、第二蓋体４の第二基体４１が二次吸気口２３を密閉することにより、二次吸気口２３から外気が入れないようになる。
【００３２】
上記の一次吸気口２２及び二次吸気口２３の開閉を調節することにより、広葉樹を由来とする薪だけでなく、針葉樹を由来とする薪を使用しても効率良く薪を燃焼することができる。すなわち、以下のように調節する。薪の燃焼開始時において、一次吸気口２２を開いた状態として、燃焼室２１の内部に薪を投入して着火したときに、薪が勢いよく燃え薪全体に素早く火がまわる。そして、薪の燃焼開始から数十分後において、一次吸気口２２、二次吸気口２３ともに開いた状態とすると、薪から生じた燃焼性ガスを給気配管７の給気口７１からの給気によって二次燃焼させることができる。さらに、時間が経過すると火の勢いが治まり熾火の状態となるが、このとき、一次吸気口２２をほとんど閉めた状態として、二次吸気口２３をそのまま開いた状態にしておくと、熾火の状態を長く維持することができる。そして、さらに時間が経過し熾火が小さくなってきたときに、新たな薪を燃焼室２１に追加して投入し、燃焼室２１の内部の炎の様子を確認しながら、一次吸気口２２の開閉を調節する。
【００３３】
図５などに示すように、煙突２４は、本体２の上部に燃焼室２１から連通して上方に向かって伸びる円筒形状の部材であり、燃焼室２１の内部で生じた燃焼後の気体を排出するものである。その煙突２４の内部には、煙突２４の外部に突出している煙突ハンドル２４１と連動して、煙突２４の上方へ昇る煙の量を調節することができる煙突開閉蓋２４２が設けられている。
【００３４】
蓄熱室２７は、上述したように、本体２の背面側に位置しており、図６に示すように、本体２の左右に亘って本体２の背面と燃焼室２１の背面とによって設けられた空間である。蓄熱室２７は、二次吸気口２３から入った外気が通風路２６を通じて入ってきて給気配管７へ出ていく通路であるが、他方で燃焼室２１の内部で薪の燃焼により生じた熱を本体２の背面側に放熱しないための緩衝域としての役割を果たしている。こうして、燃焼室２１の内部で薪の燃焼により生じた熱は、燃焼室２１の背面側に位置する蓄熱室２７及び燃焼室２１の左右に位置する耐熱壁２５によっておおよそ保持されるため、本体２の前面に設けられ薪を投入するときに開閉される前蓋２８側及び本体の２の上面側から放出される。
【００３５】
図３から図５に示すように、前蓋２８は、上述したように、本体２の一側面である前面に開閉自在に設けられた蓋体であり、薪を投入するときに開閉される。そして、前蓋２８の中央には、燃焼室２１の内部を視認できる耐熱ガラスからなる点検窓２８１が設けられている。点検窓２８１は、前蓋２８の大部分を示しているため、燃焼室２１の内部で薪が燃焼して揺らめく炎を観賞することもできる。
【００３６】
そして、前蓋２８の下部には、前蓋２８に支持された開閉板２８３を左右にスライドさせて開閉板２８３に設けられている孔を合わせることにより、燃焼室２１に外気を吸入させることができる通風孔２８２が複数設けられている。この通風孔２８２を通じて燃焼室２１に外気を吸入させることにより、燃焼室２１の内部で発生した水蒸気や薪を燃焼することにより生じる煤などで点検窓２８１が曇ったり煤だらけになったりして燃焼室を視認できなくなることを防ぐことができる。さらに、通風孔２８２及び開閉板２８３より燃焼室２１側の前蓋２８に、点検窓２８１からの視認性を妨げない高さで、誘導板２８４が設けられている。通風孔２８２及び開閉板２８３を通して入ってきた空気が、誘導板２８４に当たることにより、上部、すなわち、点検窓２８１の燃焼室２１側に誘導されているため、点検窓２８１が曇ったり煤だらけになったりすることをより効果的に防ぐことができる。
【００３７】
灰受け部５は、ロストル１の下方に位置する箱状の部材である。ロストル１の上に溜まった燃焼後の灰が貫通孔１２１から落ちて灰受け部５に溜まり、本体２から灰受け部５を取り出して灰を廃棄する。
【００３８】
脚６は、本体２の下部四隅に螺子により取り外せるように設けられ、本体２を支える部材である。また、薪ストーブＳから脚６を取り外し、脚６の代わりに車輪を設けた部材を取り付けることもできる。車輪を設けた部材により、屋内に薪ストーブＳを搬入するとき、また、屋内での薪ストーブＳの配置変えをするときなど薪ストーブＳを移動するときに少ない人数で容易に移動することができる。
【００３９】
給気配管７は、蓄熱室２７と連通し、燃焼室２１の背面側から前面側に向かって伸びる中空状の部材である。給気配管７には、複数の略円形状の給気口７１が設けられており、二次吸気口２３から入った外気が給気口７１を通じて燃焼室２１に供給される。
【符号の説明】
【００４０】
１・・・ロストル
１１・・板状部材
１２・・突起部
１２１・貫通孔
２・・・本体
２１・・燃焼室
２２・・一次吸気口
２３・・二次吸気口
２４・・煙突
２４１・煙突ハンドル
２４２・煙突開閉蓋
２５・・耐熱壁
２６・・通風路
２７・・蓄熱室
２８・・前蓋
２８１・点検窓
２８２・通風孔
２８３・開閉板
２８４・誘導板
３・・・第一蓋体
３１・・第一基体
４・・・第二蓋体
４１・・第二基体
５・・・灰受け部
６・・・脚
７・・・給気配管
７１・・給気口
８・・・遮蔽板
８１・・遮蔽板開閉蓋
８１１・開閉蓋ハンドル
Ｓ・・・薪ストーブ
【図１】
0006032653.tif 000002
【図２】
0006032653.tif 000003
【図３】
0006032653.tif 000004
【図４】
0006032653.tif 000005
【図５】
0006032653.tif 000006
【図６】
0006032653.tif 000007
【図７】
0006032653.tif 000008